(57)【要約】【課題】  放射線検出器により検出した放射線の計数率とバックグラウンド計数率の基準レベルとの関係を容易に認識することが可能な放射能スクリーニング検査装置を提供する。【解決手段】  画像処理部２１は、バックグラウンド計数率の基準レベルを表示するためのバックグラウンド計数率表示部３１と、放射線検出器２５により検出した放射線の計数率を表示するための検出計数率表示部３２とを備える。これらの計数率とバックグラウンド計数率の基準レベルは、縦軸を放射線の計数率とし横軸を時間とした状態で経時的にグラフとして表示される。また、この画像処理部２１は、放射線検出器２５により検出した現在の放射線の計数率を数字で表示するための現在計数率表示部３３を備える。さらに、この画像処理部２１は、スクリーニング結果を表示するためのスクリーニング結果表示部３４を備える。【選択図】        図３
2014077747.tif 000002
【特許請求の範囲】
【請求項１】
放射線検出器により検査物を測定して得た放射線の計数率と、バックグラウンド計数率と、検査物に対する放射能の基準値とを用いて放射能スクリーニングを実行する放射能スクリーニング検査装置において、
放射線の計数率とスクリーニング結果とを表示する表示部を備え、
当該表示部には、前記放射線検出器により検出した放射線の計数率と、予め設定したバックグラウンド計数率の基準レベルとを、互いに直交する二軸のうちの一方の軸を放射線の計数率とし、他方の軸を時間とした状態で、経時的にグラフとして表示することを特徴とする放射能スクリーニング検査装置。
【請求項２】
請求項１に記載の放射能スクリーニング検査装置において、
前記放射線検出器により検出した放射線の計数率を、バックグラウンド計数率の基準レベルに対する相対値で表示する放射能スクリーニング検査装置。
【請求項３】
請求項２に記載の放射能スクリーニング検査装置において、
前記放射線検出器により検出した放射線の計数率のグラフとともに、前記放射線検出器により検出した現在の放射線の計数率を数字で表示する放射能スクリーニング検査装置。
【請求項４】
請求項１から請求項３のいずれかに記載の放射能スクリーニング検査装置において、
検査物を測定しているときの前記放射線検出器により検出した放射線の計数率のグラフと、それ以外のときの前記放射線検出器により検出した放射線の計数率のグラフとを、グラフを表す線の表現を異ならせて表示する放射能スクリーニング検査装置。
【発明の詳細な説明】
【技術分野】
【０００１】
この発明は、放射線検出器により検査物を測定して得た放射線の計数率と、バックグラウンド計数率と、検査物に対する放射能の基準値とを用いて放射能スクリーニングを実行する放射能スクリーニング検査装置に関する。
【背景技術】
【０００２】
例えば、食品の放射能スクリーニング検査を行うときには、厚生労働省の「放射性セシウム・スクリーニング検査マニュアル」等に従って、ＮａＩ（ヨウ化ナトリウム）を用いた放射能スクリーニング検査装置が使用されている。この放射能スクリーニング検査装置においては、検査物を測定した測定値と基準値（Ｂｑ／ｋｇ）とを比較して検査が行われている。
【０００３】
なお、特許文献１には、施設の放射線レベルを監視あるいは管理する放射線モニタが開示されている。この放射線モニタにおいては、縦軸を放射線レベル（ＣＰＳ）とし、横軸を時間としたグラフを表示している。そして、特許文献１に記載の放射線モニタにおいては、上昇レベル計数率を利用したデータ処理を行うことにより、放射線レベルの異常上昇を初期段階で早期に検知する構成を採用している。
【先行技術文献】
【特許文献】
【０００４】
【特許文献１】特開平６−３２４１５０号公報
【発明の概要】
【発明が解決しようとする課題】
【０００５】
このような放射能スクリーニング検査を行うときには、バックグラウンド計数率を正確に認識することが必要となる。すなわち、放射能スクリーニング検査を行うときには、自然界や測定環境周辺のノイズ成分を考慮することが必要であり、検査物を測定した測定値（放射線の計数率）からこれらのノイズ成分であるバックグラウンド計数率を除外する必要がある。ここで、このバックグラウンド計数率は、地域、装置の設置環境、時間帯、天候等の各種の要因によって変化する。このため、放射能スクリーニング検査を行うときには、バックグラウンド計数率の変動を常に考慮する必要がある。
【０００６】
このバックグラウンド計数率は、通常は、放射能スクリーニング検査を開始する前に予め測定され、この測定値に基づいてバックグラウンド計数率の基準レベルが設定される。このため、検査中にバックグラウンド計数率が変化すると、正しい検査値を得ることができなくなる。また、正しいバックグラウンド計数率を使用している場合であっても、バックグラウンド計数率の値が大きければ大きいほどその誤差も大きくなることから、検査値の誤差も大きくなる。従って、常に、バックグラウンド計数率を低いレベルで維持できるように、清掃、除染、遮蔽等を実行する必要がある。このため、バックグラウンド計数率を正確に把握することが要請されている。
【０００７】
しかしながら、特許文献１に記載されたように、放射線検出器により検出された放射線レベルを単純に経時的に表示しただけでは、バックグラウンド計数率や、バックグラウンド計数率の基準レベルと検査物の測定時における放射線の計数率の関係を容易に認識することは困難である。
【０００８】
この発明は上記課題を解決するためになされたものであり、放射線検出器により検出した放射線の計数率とバックグラウンド計数率の基準レベルとの関係を容易に認識することが可能な放射能スクリーニング検査装置を提供することを目的とする。
【課題を解決するための手段】
【０００９】
請求項１に記載の発明は、放射線検出器により検査物を測定して得た放射線の計数率と、バックグラウンド計数率と、検査物に対する放射能の基準値とを用いて放射能スクリーニングを実行する放射能スクリーニング検査装置において、放射線の計数率とスクリーニング結果とを表示する表示部を備え、当該表示部には、前記放射線検出器により検出した放射線の計数率と、予め設定したバックグラウンド計数率の基準レベルとを、互いに直交する二軸のうちの一方の軸を放射線の計数率とし、他方の軸を時間とした状態で、経時的にグラフとして表示することを特徴とする。
【００１０】
請求項２に記載の発明は、請求項１に記載の発明において、前記放射線検出器により検出した放射線の計数率を、バックグラウンド計数率の基準レベルに対する相対値で表示する。
【００１１】
請求項３に記載の発明は、請求項２に記載の発明において、前記放射線検出器により検出した放射線の計数率のグラフとともに、前記放射線検出器により検出した現在の放射線の計数率を数字で表示する。
【００１２】
請求項４に記載の発明は、請求項１から請求項３のいずれかに記載の発明において、検査物を測定しているときの前記放射線検出器により検出した放射線の計数率のグラフと、それ以外のときの前記放射線検出器により検出した放射線の計数率のグラフとを、グラフを表す線の表現を異ならせて表示する。
【発明の効果】
【００１３】
請求項１に記載の発明によれば、放射線検出器により検出した放射線の計数率と、予め設定したバックグラウンド計数率の基準レベルとを、互いに直交する二軸のうちの一方の軸を放射線の計数率とし、他方の軸を時間とした状態で経時的にグラフとして表示することから、放射線検出器により検出した放射線の計数率とバックグラウンド計数率の基準レベルとの関係を容易に認識することが可能となる。
【００１４】
請求項２に記載の発明によれば、放射線検出器により検出した放射線の計数率をバックグラウンド計数率の基準レベルに対する相対値で表示することから、バックグラウンド計数率の基準レベルが変化した場合においても、放射線検出器により検出した放射線の計数率を一定の状態で表示することが可能となる。
【００１５】
請求項３に記載の発明によれば、放射線検出器により検出した放射線の計数率のグラフとともに現在の放射線の計数率を数字で表示することから、放射線の計数率が表示レンジ外となった場合においても、現在の計数率を認識することが可能となる。
【００１６】
請求項４に記載の発明によれば、検査物を測定しているときに検出した放射線の計数率とそれ以外のときの放射線の計数率とを、線の表現が異なるグラフとして表示することから、検査物に対応する放射線の計数率を容易に認識することが可能となる。
【図面の簡単な説明】
【００１７】
【図１】この発明に係る放射能スクリーニング検査装置の概要を示す斜視図である。
【図２】この発明に係る放射能スクリーニング検査装置の主要な制御系を示すブロック図である。
【図３】画像処理部２１のブロック図である。
【図４】画像処理部２１により画像処理されてモニタ画面１３に表示される表示画面を示す概要図である。
【図５】画像処理部２１により画像処理されてモニタ画面１３に表示される表示画面を示す概要図である。
【図６】画像処理部２１により画像処理されてモニタ画面１３に表示される表示画面を示す概要図である。
【図７】画像処理部２１により画像処理されてモニタ画面１３に表示される表示画面を示す概要図である。
【発明を実施するための形態】
【００１８】
以下、この発明の実施の形態を図面に基づいて説明する。図１は、この発明に係る放射能スクリーニング検査装置の概要を示す斜視図である。また、図２は、この発明に係る放射能スクリーニング検査装置の主要な制御系を示すブロック図である。
【００１９】
この放射能スクリーニング検査装置は、本体１１と、検査物５０を搬送して開口部１５から本体１１内に搬入し、また、本体１１から搬出するためのコンベア１２と、放射線の計数率とスクリーニング結果とを表示するためのこの発明に係る表示部としてのモニタ画面１３とを備える。図２に示すように、コンベア１２内には、近接センサ等から構成され、コンベア１２により搬送される検査物５０を検出するための一対のセンサ１４が配設されている。
【００２０】
図２に示すように、この放射能スクリーニング検査装置は、本体１１内に、コンベア１２により搬送される検査物５０と対向する位置に配設された放射線検出器２５と、この放射線検出器２５により検出された放射線をカウントするカウンタ２３を備える。また、この放射能スクリーニング検査装置は、本体１１内に、検査物５０に対する放射線の基準値と、この基準値と検査物５０を測定したときの検査物５０による放射線の計数率との関係を示す関係式とを、テーブル等の形式で記憶した記憶部２４を備える。さらに、この放射能スクリーニング検査装置は、比較部２２と、画像処理部２１とを備える。
【００２１】
ここで、検査物５０に対する放射線の基準値は、検査物５０の種類によって予め設定された値であり、その単位は（Ｂｑ／ｋｇ）となっている。そして、記憶部２４には、この基準値の他に、検査物５０を測定したときの検査物５０による放射線の計数率（Ｃｏｕｎｔ  ｐｅｒ  ｓｅｃｏｎｄ／ＣＰＳ）と、この計数率に相当する基準値との関係が記憶されている。放射線検出器２５により検出され、カウンタ２３でカウントされることにより得られた放射線の計数率と記憶部２４に記憶された基準値とは、比較部２２により比較され、計数率が基準値に対応する値より大きいか否かにより、スクリーニング結果が判定される。
【００２２】
図３は、図２に示す画像処理部２１のブロック図である。
【００２３】
この画像処理部２１は、バックグラウンド計数率の基準レベルを表示するためのバックグラウンド計数率表示部３１と、放射線検出器２５により検出した放射線の計数率を表示するための検出計数率表示部３２とを備える。これらの計数率とバックグラウンド計数率の基準レベルは、縦軸を放射線の計数率とし横軸を時間とした状態で経時的にグラフとして表示される。
【００２４】
また、この画像処理部２１は、放射線検出器２５により検出した現在の放射線の計数率を数字で表示するための現在計数率表示部３３を備える。さらに、この画像処理部２１は、スクリーニング結果を表示するためのスクリーニング結果表示部３４を備える。この画像処理部２１により画像処理されたデータは、モニタ画面１３に送信され、モニタ画面１３上に画像が表示される。
【００２５】
図４から図７は、画像処理部２１により画像処理されてモニタ画面１３に表示される表示画面を示す概要図である。
【００２６】
図４に示すように、モニタ画面１３に表示される表示画面においては、縦軸を放射線の計数率とし、横軸を時間とした状態のグラフが表示される。このグラフにおいては、放射線検出器２５により検出した放射線の計数率が折線１０１として経時的に表示される。また、そのときのバックグラウンド計数率の基準レベルが直線１０２として経時的に表示される。これらのグラフは、時間の経過とともに、図４に示す左側に移動する。この折線１０１は画像処理部２１における検出計数率表示部３２の作用により表示され、直線１０２は画像処理部２１におけるバックグラウンド計数率表示部３１により表示される。
【００２７】
なお、この実施形態においては、放射線検出器２５により検出した放射線を計数率として表示している。このため、表示を行う時間幅にかかわらず、放射線の検出結果を一定に表現することができる。この時、測定された放射線の計数率は統計誤差を含むことから、所定の時間間隔で平均化（スムージング）を実行した後の結果を表示するようにしてもよい。
【００２８】
上述した、バックグラウンド計数率の基準レベルは、検査物５０が存在しない状態における放射線検出器２５の測定値に基づいて予め設定される。そして、放射線検出器２５により検出した放射線の計数率は、バックグラウンド計数率の基準レベルに対する相対値で表示される。図４に示す実施形態においては、バックグラウンド計数率の基準レベルが２００ＣＰＳに設定されている。そして、表示画面における縦軸は、このバックグラウンド計数率の基準レベルを基準とし、その９０％〜１５０％の範囲、すなわち、１８０ＣＰＳ〜３００ＣＰＳの範囲を表示するようにしている。このような表示方法を採用することにより、バックグラウンド計数率の基準レベルが変化した場合においても、放射線検出器２５により検出した放射線の計数率を一定の状態で表示することができる。このため、装置の異常や、バックグラウンド環境の変化を容易に認識することが可能となる。
【００２９】
また、このときにモニタ画面１３に表示される表示画面においては、放射線検出器２５により検出した放射線の計数率を示す折線１０１とともに、放射線検出器２５により検出した現在の放射線の計数率を数字で表示するエリア１０３が設定されている。このため、現在の放射線の計数率が一時的に激しく変化して、放射線の計数率が表示レンジ外となった場合においても、このエリア１０３に表示された数字に基づいて、現在の計数率を認識することが可能となる。このエリア１０３は、画像処理部２１における現在計数率表示部３３により表示される。
【００３０】
図５は、時間の経過とともに放射線検出器２５により検出した放射線の計数率が高くなる状態を示している。例えば、装置や測定用の容器が汚染した場合には、放射線の計数率が上昇する。このような場合には、予め設定したバックグラウンド計数率の基準レベルを設定時の値より大きなものとする必要が生ずる。この発明に係る放射能スクリーニング検査装置においては、放射線検出器２５により検出した放射線の計数率とバックグラウンド計数率の基準レベルとを、同時に経時的にグラフとして表示することから、予め設定されたバックグラウンド計数率の基準レベルと放射線検出器２５により検出された放射線の計数率との関係、すなわち、現在のバックグラウンド計数率に相当する計数率と予め設定したバックグラウンド計数率の基準レベルとの関係を容易に認識することができる。従って、除染作業の必要性等を容易に認識することが可能となる。
【００３１】
図６は、除染作業を行った後の状態を示している。汚染領域に対して清掃等の除染作業を実行した場合には、放射線検出器２５により検出した放射線の計数率が低くなり、バックグラウンド計数率に相当する計数率が低くなることになる。これにより、放射線検出器２５により検出された放射線の計数率を、予め設定されたバックグラウンド計数率の基準レベルに近づけることができる。
【００３２】
図７は、図２に示すように、コンベア１２により検査物５０を放射線検出器２５と対向する位置に搬送して、検査物５０のスクリーニング検査を実行する状態を示している。このとき、検査物５０が放射能により汚染されていた場合においては、放射線検出器２５により検出した放射線の計数率が高くなる。この場合においても、放射線検出器２５により検出した放射線の計数率とバックグラウンド計数率の基準レベルとを、同時に経時的にグラフとして表示することから、予め設定されたバックグラウンド計数率の基準レベルと放射線検出器２５により検出された放射線の計数率との関係を容易に認識することができる。
【００３３】
なお、図７に示すように、放射線検出器２５により検査物５０を測定する場合において、検出時の領域Ｅにおいては、放射線検出器２５により検出した放射線の計数率を表す折線１０１は破線で表示され、それ以外の領域においては、放射線の計数率を表す折線１０１は実線で表示される。このように、検査物５０を測定しているときと測定していないときとでグラフを表す線の表現を異ならせて表示することにより、検査物５０に対応する放射線の検出値を容易に認識することが可能となる。
【００３４】
なお、図５に示す実施形態においては、破線と実線とを使用することによりグラフを表す線の表現を異ならせて表示しているが、線の色を変更することによりグラフを表す線の表現を異ならせて表示してもよい。
【００３５】
ここで、上述した検査物５０の測定中であるか否かの判定は、一対のセンサ１４による検査物５０の認識状態により行う。なお、一対のセンサ１４を使用する代わりに、単一のセンサの信号とコンベア１２の搬送速度に基づいて、検査物５０の測定中であるか否かを判定するようにしてもよい。
【００３６】
検査物５０を測定したときに放射線検出器２５により検出された放射線は、カウンタ２３によりカウントされ比較部２２に送られる。比較部２２においては、記憶部２４に記憶した検査物５０に対する放射線の基準値と、この基準値と検査物５０を測定したときの検査物５０による放射線の計数率との関係を示す関係式とを利用して、検査物５０に対する放射能の汚染度が基準値を超えているか否かを判断する。この時には、検査物５０に対する放射能の汚染度として、予め設定されたバックグラウンド計数率の基準レベルと放射線検出器２５により検出された放射線の計数率との差が利用される。そして、その判断結果に基づいて、画像処理部２１におけるスクリーニング結果表示部３４により、モニタ画面１３に対してスクリーニング結果が表示される。このスクリーニング結果の表示は、例えば、画面上に「○」または「×」を表示することにより行われる。
【００３７】
なお、上述した実施形態に係る放射能スクリーニング検査装置においては、検査物５０に対する放射線の基準値と、検査物５０を測定したときの検査物５０による放射線の計数率との関係を示す関係式が予め特定されていない場合には、スクリーニング検査を行うことはできないが、この場合においても、放射線検出器２５により検出した放射線の計数率を表す折線１０１の変化に基づいて、おおよその検査物５０の汚染度を判断することが可能となる。
【００３８】
また、上述した実施形態に係る放射能スクリーニング検査装置においては、放射線検出器２５により検出した放射線の計数率を折線１０１により表現しているが、折線１０１よりも下方の領域を塗りつぶすようにして放射線検出器２５により検出した放射線の計数率を表現してもよい。
【符号の説明】
【００３９】
１１      本体
１２      コンベア
１３      モニタ画面
１４      センサ
２１      画像処理部
２２      比較部
２３      カウンタ
２４      記憶部
２５      放射線検出部
３１      バックグラウンド計数率表示部
３２      検出計数率表示部
３３      弁財計数率表示部
３４      スクリーニング結果表示部
５０      検査物
【図１】
2014077747.tif 000003
【図２】
2014077747.tif 000004
【図３】
2014077747.tif 000005
【図４】
2014077747.tif 000006
【図５】
2014077747.tif 000007
【図６】
2014077747.tif 000008
【図７】
2014077747.tif 000009